(57)【要約】【課題】効率的に各ユーザの嗜好に合致した楽曲を紹介すること。【解決手段】楽曲紹介システムは、ユーザ側のオーディオシステム１１０と楽曲情報を管理する管理センタ１４０とからなり、相互にデータ通信を行なうように構成される。ユーザ側のオーディオシステム１１０は、ユーザの音楽の嗜好を示す嗜好データ（ユーザ情報及び再生楽曲関連情報）を保存する嗜好ＤＢ２５０を備える。楽曲情報を記憶する楽曲情報ＤＢ１４４を備える管理センタ１４０は、その嗜好データをデータ通信により取得して、その嗜好データに合致する楽曲情報を楽曲情報ＤＢ１４４から検索する。このようにして検索した楽曲情報に関する楽曲情報データを用いれば、各ユーザに対して各ユーザの嗜好に合致した楽曲を効率的に紹介することが可能になる。【選択図】      図６
2005300772.tif 000002
【特許請求の範囲】
【請求項１】
ユーザに対し、そのユーザの嗜好に合致した楽曲情報を抽出して紹介する楽曲紹介システムであって、
ユーザ端末と楽曲情報を管理する管理センタとからなり、
前記ユーザ端末は、
ユーザの音楽の嗜好に関する嗜好データを保存する保存手段と、
前記管理センタからユーザの嗜好に合致した楽曲に関する楽曲情報データを取得する楽曲情報データ取得手段と、
前記楽曲情報データ取得手段によって取得された楽曲情報データに基づいて、楽曲を再生する楽曲再生手段と、
前記嗜好データを前記管理センタへ送信するとともに、前記楽曲情報データを受信するユーザ端末側通信手段とを備え、
前記管理センタは、
楽曲情報を記憶する楽曲情報データベースと、
前記保存手段に保存された嗜好データを取得し、その嗜好データに合致する楽曲情報を前記楽曲情報データベースから検索する検索手段と、
前記検索した楽曲情報に対応する楽曲情報データを前記ユーザ端末に送信するとともに、前記嗜好データを受信するセンタ側通信手段とを備えることを特徴とする楽曲紹介システム。
【請求項２】
前記楽曲再生手段において、ユーザによって選択された楽曲が再生されたとき、前記保存手段は、前記嗜好データとして、その再生された楽曲に関連する再生楽曲関連データを保存することを特徴とする請求項１に記載の楽曲紹介システム。
【請求項３】
前記再生楽曲関連データは、再生された楽曲の曲名、アーティスト名、音楽ジャンル、レーベル名、再生した日時、季節、天候、場所の少なくとも１つを含むことを特徴とする請求項２に記載の楽曲紹介システム。
【請求項４】
前記検索手段は、嗜好データに共通性があるユーザ間において、一方のユーザのユーザ端末から取得した再生楽曲関連データによって特定される楽曲情報を、他方のユーザへ提供すべき楽曲情報として抽出することを特徴とする請求項２または請求項３に記載の楽曲紹介システム。
【請求項５】
前記ユーザ側端末は、好みの複数の楽曲をグループ化して、そのグループ化した楽曲群を記憶する楽曲記憶手段を有し、
前記検索手段は、前記楽曲記憶手段に記憶された楽曲群のリストから特定される楽曲情報を、前記他方のユーザへ提供すべき楽曲情報として抽出することを特徴とする請求項４に記載の楽曲紹介システム。
【請求項６】
前記保存手段は、前記嗜好データとして、ユーザの好むアーティスト名、音楽ジャンル、及びユーザ情報の少なくとも１つを登録させ、この登録データを保存することを特徴とする請求項１に記載の楽曲紹介システム。
【請求項７】
前記保存手段は、複数人分のユーザの嗜好データを分類して保存することを特徴とする請求項１乃至請求項６のいずれかに記載の楽曲紹介システム。
【請求項８】
前記保存手段は、前記楽曲再生手段によって楽曲が再生されるときのオーディオ設定情報も、ユーザごとに分類して保存することを特徴とする請求項７に記載の楽曲紹介システム。
【請求項９】
前記楽曲再生手段は、解除キーの適用により読出し可能な複数の楽曲情報を記録した記録媒体を備え、前記楽曲情報データ取得手段は、当該解除キーを楽曲情報データとして取得することを特徴とする請求項１乃至請求項８のいずれかに記載の楽曲紹介システム。
【請求項１０】
前記管理センタは、まず、ユーザの嗜好に合致する楽曲の一部を前記ユーザ端末の楽曲再生手段で再生可能な楽曲情報データを送信し、その楽曲の一部を試聴したユーザが楽曲情報の取得を希望したとき、その楽曲全体の楽曲情報データを送信することを特徴とする請求項１乃至請求項９のいずれかに記載の楽曲紹介システム。
【請求項１１】
前記ユーザ端末は、車両に設けられることを特徴とする請求項１乃至請求項１０のいずれかに記載の楽曲紹介システム。
【発明の詳細な説明】
【技術分野】
【０００１】
本発明は、ユーザの嗜好に合致した楽曲情報を抽出して紹介する楽曲紹介システムに関するものである。
【背景技術】
【０００２】
近年、車両等において、書換可能かつ大容量のハードディスクドライブ（ＨＤＤ）を記憶媒体とするオーディオ装置が実用化されるようになってきた。このオーディオ装置では、ユーザが所有するコンパクトディスク（ＣＤ）等の記録メディアに記録された楽曲データを再生可能であるとともに、その楽曲データをＨＤＤに保存することが可能である。ユーザは、好みの楽曲のデータをＣＤ等からＨＤＤに蓄積することにより、ＨＤＤをミュージックサーバとして活用することができる。
【０００３】
また、ＣＤのような記録メディア以外に楽曲データを取得する手段として、ネットワークを介しての楽曲データの配信も普及しつつある。この場合、ユーザは音楽配信用のサーバにアクセスし、楽曲名やアーティスト名を用いて必要な楽曲を検索する。そして、検索した楽曲がユーザの希望する楽曲と一致することを確認した後に、その楽曲データのダウンロードを開始する。
【０００４】
しかしながら、ＣＤ等からＨＤＤに楽曲データを蓄積する場合、ユーザは、既に取得しているＣＤ等から楽曲データをＨＤＤに保存させるだけであるため、当然のことながら、ユーザが知らない新規な楽曲データを保存させることはできない。これは、音楽配信用のサーバから所望の楽曲データをダウンロードする場合も同様で、ユーザは目的とする楽曲を特定するための何らかの情報を持っており、その楽曲を既に知っているはずである。
【０００５】
特許文献１では、このような問題に対して、ユーザが放送を試聴している際に聞こえてきた楽曲に関する楽曲データを簡単にダウンロードできるようにした音楽配信システムが記載されている。
【特許文献１】特開２００２−３１８５８７号公報
【発明の開示】
【発明が解決しようとする課題】
【０００６】
しかしながら、放送を試聴している際に、各ユーザが興味を引かれる楽曲が流れる機会は必ずしも多くはない。すなわち、そのような機会は偶然に左右され、各ユーザの嗜好に合う楽曲のデータを配信する手法として効率性に問題がある。
【０００７】
一方、現存する楽曲数自体膨大であり、さらに日々新たな楽曲がリリースされる中で、各ユーザが、自らの嗜好に合う楽曲を選び出すことは非常に困難である。
【０００８】
本願発明は上述した点に鑑みてなされたもので、効率的に各ユーザの嗜好に合致した楽曲を紹介することが可能な楽曲紹介システムを提供することを目的とするものである。
【課題を解決するための手段】
【０００９】
上記目的を達成するために、請求項１に記載の楽曲情報システムは、
ユーザ端末と楽曲情報を管理する管理センタとからなり、
ユーザ端末は、
ユーザの音楽の嗜好に関する嗜好データを保存する保存手段と、
管理センタからユーザの嗜好に合致した楽曲に関する楽曲情報データを取得する楽曲情報データ取得手段と、
楽曲情報データ取得手段によって取得された楽曲情報データに基づいて、楽曲を再生する楽曲再生手段と、
嗜好データを管理センタへ送信するとともに、楽曲情報データを受信するユーザ端末側通信手段とを備え、
管理センタは、
楽曲情報を記憶する楽曲情報データベースと、
保存手段に保存された嗜好データを取得し、その嗜好データに合致する楽曲情報を楽曲情報データベースから検索する検索手段と、
検索した楽曲情報に対応する楽曲情報データをユーザ端末に送信するとともに、嗜好データを受信するセンタ側通信手段とを備えることを特徴とする。
【００１０】
上述したように請求項１に記載の楽曲紹介システムでは、ユーザ端末が、ユーザの音楽の嗜好に関する嗜好データを保存する保存手段を備える。このため、楽曲情報を記憶する楽曲情報データベースを備える管理センタは、その嗜好データを取得することにより、その嗜好データに合致する楽曲情報を楽曲情報データベースから検索することができる。このようにして検索した楽曲情報に関する楽曲情報データを用いれば、各ユーザに対して各ユーザの嗜好に合致した楽曲を効率的に紹介することが可能になる。
【００１１】
請求項２に記載したように、楽曲再生手段において、ユーザによって選択された楽曲が再生されたとき、保存手段は、嗜好データとして、その再生された楽曲に関連する再生楽曲関連データを保存することが好ましい。これにより、実際にユーザが聴いている楽曲を手がかりとして、例えば同じアーティストの楽曲や、同じ音楽ジャンルの楽曲を、嗜好に合致する楽曲として紹介することができる。
【００１２】
再生楽曲関連データとしては、請求項３に記載したように、再生された楽曲の曲名、アーティスト名、音楽ジャンル、レーベル名、再生した日時、季節、天候、場所の少なくとも１つを含むことが好ましい。これらのデータはいずれも、紹介すべき楽曲を検索する上での手がかりとなるためである。例えば、レコード製作会社（レーベル名）によっては、特定の音楽ジャンルに注力していたり、シリーズ化された企画ＣＤなどを提供していたりする。このような場合、同じレーベル名を持つ楽曲を紹介すべき楽曲として抽出できる。また、日時、季節、天候及び場所に関しては、各ユーザが楽曲を聞く時の状況を示すものであり、例えば夜に音楽を楽しむことが多いユーザに対しては、夜に聴かれることが多い楽曲を紹介したりすることができる。
【００１３】
請求項４に記載したように、検索手段は、嗜好データに共通性があるユーザ間において、一方のユーザのユーザ端末から取得した再生楽曲関連データによって特定される楽曲情報を、他方のユーザへ提供すべき楽曲情報として抽出しても良い。ユーザ間において、嗜好データに共通性がある場合、一方のユーザが実際に聴いている楽曲は、他方のユーザの嗜好に合致する可能性が高いためである。なお、嗜好データが複数の情報からなる場合、その一部の情報が一致すれば、嗜好データに共通性があるとみなすことができる。
【００１４】
請求項５に記載したように、ユーザ側端末は、好みの複数の楽曲をグループ化して、そのグループ化した楽曲群を記憶する楽曲記憶手段を有し、
検索手段は、楽曲記憶手段に記憶された楽曲群のリストから特定される楽曲情報を、他方のユーザへ提供すべき楽曲情報として抽出するようにしても良い。
【００１５】
ユーザは、ユーザ側端末において楽曲データが記録できる場合、自分の最も気に入っている楽曲を集めて、例えば「My Favorite」のように登録することが考えられる。このようにして登録された楽曲郡は、特にユーザの嗜好性を高く表すものであり、嗜好データに共通性がある他のユーザにも好まれる可能性が高いためである。
【００１６】
請求項６に記載のように、保存手段は、嗜好データとして、ユーザの好むアーティスト名、音楽ジャンル、及びユーザ情報の少なくとも１つを登録させ、この登録データを保存するようにしても良い。これにより、管理センタは、各ユーザの嗜好を直接的に表す嗜好データを取得することができる。なお、ユーザ情報は、ユーザの年齢や性別等である。ユーザの年齢や性別によって、好む音楽の傾向も変化する場合があるためである。
【００１７】
請求項７に記載したように、保存手段は、複数人分のユーザの嗜好データを分類して保存するようにしても良い。これにより、より多くのユーザに対して、各ユーザの嗜好に合致した楽曲を紹介する機会を設けることができる。
【００１８】
請求項８に記載したように、保存手段は、楽曲再生手段によって楽曲が再生されるときのオーディオ設定情報も、ユーザごとに分類して保存することが好ましい。オーディオ設定情報とは、例えば音量、複数のスピーカを備える場合の音量バランス、ＤＳＰやイコライザのモード設定やマニュアル設定に関するデータである。このようなオーディオ設定情報の好みも、ユーザごとに異なることがある。このため、複数人のユーザでユーザ端末を共有する場合には、いずれのユーザが使用しているかの判別時に、その保存したオーディオ設定情報に基づいて、ユーザの好みの設定に変更することができる。
【００１９】
請求項９に記載したように、楽曲再生手段は、解除キーの適用により読出し可能な複数の楽曲情報を記録した記録媒体を備え、楽曲情報データ取得手段は、当該解除キーを楽曲情報データとして取得することが好ましい。楽曲そのもののデータをダウンロードする場合、通信容量によっては多大な時間がかかる場合があるためである。
【００２０】
請求項１０に記載したように、管理センタは、まず、ユーザの嗜好に合致する楽曲の一部をユーザ端末の楽曲再生手段で再生可能な楽曲情報データを送信し、その楽曲の一部を試聴したユーザが楽曲情報の取得を希望したとき、その楽曲全体の楽曲情報データを送信することが好ましい。管理センタにおいて検索した楽曲が、対象ユーザの嗜好に合致しない場合も考えられるため、まず、楽曲の一部を再生可能な楽曲情報データを送信し、ユーザの取得意思を確認することが適切である。
【００２１】
請求項１１に記載のように、ユーザ端末は、車両に設けられることが好ましい。車両を運転する際、音楽を聴くことが多いため、各ユーザの嗜好に合う楽曲を紹介する意義が大きい。
【発明を実施するための最良の形態】
【００２２】
以下、本発明の実施形態による楽曲紹介システムについて、図面に基づいて詳しく説明する。図１は、実施形態による楽曲紹介システムの概略構成を示すブロック図である。なお、本実施形態では、車両におけるオーディオシステムをユーザ端末とした楽曲紹介システムについて説明する。
【００２３】
図１では、車両１００にオーディオシステム１１０及び通信モジュール１２０を備えるユーザが、楽曲情報管理センタ１４０から、中継局１３０を含むネットワークを介して、楽曲情報を紹介され、気に入った場合に、その楽曲情報を購入する例を示している。ただし、本実施形態における楽曲紹介システムの適用対象は、車両に限られるものではなく、楽曲情報管理センタ１４０との通信が可能である限り、自宅等の固定した位置にオーディオシステム等を有するユーザに対しても楽曲の紹介が可能であることはもちろんである。
【００２４】
図１に示す車両１００のオーディオシステム１１０の概略構成を図２のブロック図に示す。図２に示すように、オーディオシステム１１０は、データ読出部１１１、操作部１１２、ディスプレィ１１３、スピーカ１１４、ハードディスクドライブ（ＨＤＤ）１１５、及び制御部１１６を備える。また、このオーディオシステム１１０は、ナビゲーション装置１３０と接続され、ナビゲーション装置１３０から車両の位置や、その位置における天候、日時等の情報を取得可能に構成されている。
【００２５】
データ読出部１１１は、ＣＤ，ＭＤ，ＤＶＤ等の記録メディアに記憶された楽曲データを読み取って、制御部１１６に出力するものである。操作部１１２は、音声操作を行なうための音声操作部の他、各種のスイッチを有し、記録メディアや後述するＨＤＤ１１５に保存された楽曲データの再生、停止に加え、楽曲情報管理センタ１４０との通信により、紹介された楽曲の購入を指示する等の操作を行なうことができる。さらに、本実施形態では、各ユーザの嗜好に合致した楽曲を抽出して紹介するために、この操作部１１２によって、ユーザの好むアーティスト名、音楽ジャンル、年齢や性別等のユーザデータを予め入力させ、後述するＨＤＤ１１５に保存しておく。
【００２６】
ディスプレィ１１３は、例えば液晶表示器によって構成され、データ読出部１１１やＨＤＤ１１５によって楽曲データが読み出されて再生される場合に、その楽曲の順番や、曲名、アーティスト名を表示するものである。スピーカ１１４は、楽曲の再生時に、再生音声等を出力する。ＨＤＤ１１５は、ハードディスクを記憶媒体として、データ読出部１１１によって楽曲データが読み出される場合に、その楽曲データをハードディスクに書き込んだり、書き込んだ楽曲データを読み出したりする。また、本実施形態において、楽曲情報センタ１４０から楽曲情報データを受信すると、その楽曲情報データもＨＤＤ１１５によってハードディスクに保存される。
【００２７】
さらに、ＨＤＤ１１５のハードディスクには、各ユーザの音楽に関する嗜好を登録したユーザ情報や、ユーザが実際に聴いた楽曲に関する再生楽曲関連データなどからなる嗜好データも保存される。
【００２８】
制御部１１６は、データ読出部１１１やＨＤＤ１１５に読み出すべき楽曲データを指示したり、データ読出部１１１またはＨＤＤ１１５によって読み出された楽曲データに基づいて、楽曲再生信号等を生成してディスプレィ１１３及びスピーカ１１４に出力する処理を行なう。さらに、制御部１１６は、通信モジュール１２０を介して楽曲情報管理センタ１４０と通信を行ない、嗜好データの送信や、紹介される楽曲情報データの受信等の処理を行なう。なお、図２に示すブロック図では、スピーカ１１４等の制御部１１６に接続された接続要素と、制御部１１６間におけるインターフェース（例えば、Ｄ／Ａ変換器等）についての構成は省略されている。
【００２９】
図３は、楽曲情報管理センタ１４０の概略構成を示すブロック図である。図３に示すように、楽曲情報管理センタ１４０は、車両１００の通信モジュール１２０と通信を行なう通信部１４１、複数の楽曲データからなる楽曲情報データベース１４４、収集した各ユーザの嗜好データを保存する嗜好データベース１４３、及び車両１００側から各ユーザの音楽の嗜好を示す嗜好データを受信したり、各ユーザの嗜好に合致する楽曲を検索して、紹介楽曲として、車両１００側に送信したりする制御部１４２とからなる。
【００３０】
ここで、楽曲情報管理センタ１４０における、楽曲情報データベース１４４は、アルバムとシングルに分類され、アルバムに関しては、そのアルバムに含まれる楽曲を単位として、それぞれの楽曲データを保存している。さらに、楽曲データは、アーティスト、作曲者、作詞者、音楽ジャンル、レーベル名（レコード会社明）、等によって分類して保存することにより、各ユーザの嗜好データに合致する楽曲の検索を容易にしている。また、ユーザの嗜好データにおける再生楽曲関連データから、日時、季節、天候、場所等に依存して良く聞かれる楽曲がある場合、また、楽曲の提供者により試聴が推奨される日時、季節、天候、場所等が特定される場合、各楽曲データには、そのような依存性をデータとして付加される。
【００３１】
図４に、操作部１１２を音声操作部として構成した場合の、制御部１１６の詳細な構成の一例を示す。図４に示すように、操作部１１２を音声操作部として構成する場合、ユーザにより発話された音声を入力するマイク２００が設けられる。そして、スピーカ１１４から、ユーザの発話に対して応答する音声を出力することにより、音声による対話形式で、音声操作を行なうように構成される。このように、音声による対話形式での操作を行なうことにより、車両の運転操作に支障をきたすことなく操作を行なうことが可能になるとともに、入力すべき音声を選択することが容易になる。
【００３２】
制御部１１６は、マイク２００から入力された音声信号を用いて、音声認識を行なう音声認識部２１０を備える。この音声認識部２１０は、認識辞書２２０から提供される辞書及び文法に基づいて、入力された音声を認識する。認識辞書２２０は、予め楽曲の再生、停止、ダウンロード等の操作時に使用される用語や語法に関する辞書および文法が記憶されている。
【００３３】
対話制御部２３０は、音声対話の実行を制御するものである。すなわち、まず、ユーザが、所定の操作を支持したとき（この指示は音声でも、もしくは図示しないスイッチ操作によって行なうことができる）、対話制御部２３０は、指示された操作に該当する音声対話シナリオの実行を開始する。すなわち、対話制御部２３０は、対話形式のシナリオに従って、ユーザへの質問、案内、確認、報告等を行なうために、出力すべき音声内容に関するデータを音声合成部２９０に出力することにより、合成音声の出力を指示する。音声合成部２９０は、その音声内容データに従った内容の音声を合成し、スピーカ１１４から出力させる。
【００３４】
上述した音声対話シナリオによって、例えばＣＤ等の記録メディアからＨＤＤ１１５に保存された特定の楽曲の再生が指示された場合、対話制御部２３０は、推奨楽曲制御部２４０に対して、その再生が指示された楽曲に関連する関連データを保存するように指令する。すなわち、推奨楽曲制御部２４０は、嗜好データとして、再生する楽曲に関連する再生楽曲関連データを、ＨＤＤ１１５内の嗜好データベース（ＤＢ）２５０に保存する。実際にユーザが聴いている楽曲は、そのユーザの音楽の嗜好を表し、この再生楽曲を手がかりとして、例えば同じアーティストの楽曲や、同じ音楽ジャンルの楽曲を、嗜好に合致する楽曲として紹介することができるためである。
【００３５】
なお、再生楽曲関連データとしては、再生された楽曲の曲名、アーティスト名、音楽ジャンル、レーベル名、再生した日時、季節、天候、場所の少なくとも１つを含む。これらのデータはいずれも、紹介すべき楽曲を検索する上での手がかりとなるためである。例えば、レコード製作会社（レーベル名）によっては、特定の音楽ジャンルに注力していたり、シリーズ化された企画ＣＤなどを提供していたりする。このような場合、同じレーベル名を持つ楽曲を紹介すべき楽曲として抽出できる。また、日時、季節、天候及び場所に関しては、各ユーザが楽曲を聞く時の状況を示すものであり、例えば夜に音楽を楽しむことが多いユーザに対しては、夜に聴かれることが多い楽曲を紹介したりすることができる。
【００３６】
さらに、複数のユーザの再生楽曲関連データから、各楽曲について、良く聴かれる日時、季節、天候、場所等の依存性をデータとして付与することにより、楽曲を紹介するユーザの状況に応じて、そのような依存性を利用して好適な楽曲を抽出することができる。
【００３７】
また、嗜好ＤＢ２５０には、上述した再生楽曲関連データ以外に、ユーザの好むアーティスト名、音楽ジャンル、年齢や性別等のユーザデータを予め入力させ、この入力させたユーザ情報も嗜好データとして保存される。さらに、ＨＤＤ１１５に保存した楽曲の中で、特に気に入っている楽曲群がグループ化されて登録されている場合には、その楽曲群の曲名リストがマイリストとして嗜好ＤＢ２５０に保存される。
【００３８】
なお、本実施形態では、車両１００におけるオーディオシステム１１０が複数人で共用されることを考慮し、上述した嗜好データ及びマイリストなどの情報は、複数人分のユーザの嗜好データを分類して保存可能に構成されている。例えば、ユーザ情報を登録する際に、ユーザ番号を入力する等によってユーザ毎に嗜好データ等を区別して登録することが可能である。ユーザの識別に関しては、例えば声紋や指紋等を入力させて、これらの識別情報に基づいて行なうようにしても良い。
【００３９】
また、本実施形態では、複数人のユーザの登録を行なうことに伴ない、嗜好ＤＢ２５０にオーディオシステム１１０における楽曲再生時のオーディオ設定情報も、ユーザごとに分類して保存する。オーディオ設定情報とは、例えば音量、複数のスピーカを備える場合の音量バランス、ＤＳＰやイコライザのモード設定やマニュアル設定に関するデータである。このようなオーディオ設定情報の好みも、ユーザごとに異なることがある。このため、ユーザ番号の入力や声紋等を用いてユーザ判別を行ない、その保存したオーディオ設定情報に基づいて、ユーザの好みの設定に変更する。
【００４０】
一方、対話制御部２３０からコンテンツ検索部２６０に対しては、再生すべき楽曲を特定するための情報が与えられ、コンテンツ検索部２６０は、その情報に基づいてコンテンツデータベース（ＤＢ）２７０から再生すべき楽曲の楽曲データを検索する。なお、コンテンツＤＢ２７０とは、ＨＤＤ１１５内に保存された複数の楽曲データからなるものである。コンテンツ検索部２６０での検索結果はコンテンツ制御部２８０に与えられ、コンテンツ制御部２８０が検索された楽曲データをコンテンツＤＢ２７０から抽出する。そして、その抽出した楽曲データに基づき、楽曲再生信号を生成してスピーカ１１４に出力する。
【００４１】
なお、コンテンツ検索部２６０における検索結果や、コンテンツ制御部２８０による再生楽曲に関する情報は、表示制御部３００に与えられ、表示制御部３００は、それらの情報をディスプレィ１１３に表示させる。
【００４２】
上述した説明では、ＨＤＤ１１５のコンテンツＤＢ２７０に保存された楽曲が初めて再生される場合に、嗜好ＤＢ２５０にその楽曲の再生楽曲関連データが保存される例について記載したが、ＣＤ等の記録メディアに記録された楽曲データが初めて再生される場合に、その再生楽曲関連データを嗜好ＤＢ２５０に保存することも当然可能である。
【００４３】
次に、車両１００のオーディオシステム１１０における嗜好データ保存処理について、図５のフローチャートに基づいて説明する。
【００４４】
まずステップＳ１００では、ユーザ登録を行なうための操作がなされたか否かを判定する。すなわち、ユーザ登録を行なうための音声操作やスイッチ操作が行なわれたか否かを判定する。この判定ステップにおいて「Ｙｅｓ」と判定した場合には、ステップＳ１１０に進む。ステップＳ１１０では、音楽の嗜好を表すユーザ情報を入力させる。すなわち、好みのアーティスト、音楽ジャンル、年齢や性別等のユーザデータを入力させる。管理センタ１４０は、これらの情報を取得することにより、ユーザの嗜好に合う楽曲を抽出することができる。
【００４５】
ステップＳ１２０では、入力されたユーザ情報をユーザ番号毎に分類して保存する。このユーザ番号は、ユーザに音声報知され、以後にオーディオシステム１１０において楽曲を再生させる際に、事前に入力させる。ただし、ユーザの声紋等を利用してユーザ識別を行なう場合には、ユーザ番号の入力は不要である。
【００４６】
ステップＳ１３０では、オーディオシステムの再生環境をユーザの好みに設定させ、そのオーディオ設定情報の読込み及び保存を行なう。一方、ユーザ登録のための操作ではないと判定された場合（ステップＳ１００にて「Ｎｏ」）、ステップＳ１４０に進み、楽曲の再生指示がなされたか否かを判定する。このとき、「Ｙｅｓ」と判定されると、ステップＳ１５０に進み、上述したようにユーザ番号の入力や声紋等を利用して、対象ユーザの識別を行なう。
【００４７】
ステップＳ１６０では、識別したユーザに対してのオーディオ設定情報と、現在のオーディオ設定情報とを比較し、一致しているか否かを判定する。一致していない場合には、ステップＳ１７０にて、識別したユーザ用に保存しているオーディオ設定情報に従い、オーディオシステム１１０の再生環境の設定を変更する。
【００４８】
ステップＳ１８０では、再生指示された楽曲に関して、再生楽曲関連データが保存済みであるか否かを判定する。例えば、保存済みの楽曲をリスト化しておき、そのリストに含まれるか否かによって保存済みであるか否かを判定する。未保存である場合には、ステップＳ１９０に進み、その楽曲の関連データを嗜好ＤＢ２５０に保存する。なお、再生楽曲関連データには、曲名、アーティスト名、レーべル名、音楽ジャンル、再生した日時、季節、天候、場所が含まれる。このうち、日時、季節、天候及び場所に関しては、ナビゲーション装置１３０から情報を取得する。
【００４９】
ステップＳ２００では、特に気に入った複数の楽曲をグループ化したマイリストが作成されたか否かを判定する。すなわち、ユーザはＨＤＤ１１５のコンテンツＤＢ２７０に保存された楽曲の中で、特定の複数の楽曲をグループ化することにより、簡単な操作でグループに含まれる楽曲群のみを再生することができる。このマイリストは複数作成することができる。このとき、「Ｙｅｓ」と判定されると、ステップＳ２１０に進んで、嗜好ＤＢ２５０に作成したマイリストを保存する。
【００５０】
次に、管理センタ１４０が車両側から嗜好データを取得し、ユーザの嗜好に合致する楽曲情報データを送信する処理について、図６のフローチャートに基づいて説明する。
【００５１】
まず、ステップＳ３００にて、管理センタ１４０から嗜好データの送信要求を出力する。この送信要求は、例えば、所定の期間ごとに定期的に車両１００側に出力される。ステップＳ３１０にて、嗜好データの送信要求を受信すると、制御部１１６は、ステップＳ３２０において、嗜好ＤＢ２５０に保存されているマイリスト及び嗜好データを送信する。さらに、この送信時の時刻、季節、天候、場所等をナビゲーション装置１５０から取得し、嗜好データとともに送信する。なお、一度送信された嗜好データは、嗜好ＤＢ２５０から削除される。
【００５２】
管理センタ１４０は、ステップＳ３３０にて送信された嗜好データ等を受信すると、ステップＳ３４０にて、楽曲情報ＤＢ１４４から、嗜好データに合致する楽曲を検索する。この楽曲検索処理を、図７のフローチャートに基づいて説明する。
【００５３】
図７に示すように、まずステップＳ５００では、受信データのなかから嗜好データの読出しを行なう。すなわち、嗜好データとしてユーザ情報及び再生楽曲関連データを読み出す。ステップＳ５１０では、嗜好データに含まれる各項目（アーティスト名、レーベル名、音楽ジャンル、日時、季節、天候、場所）に該当する楽曲を楽曲情報ＤＢ１４４から検索する。ステップＳ５２０では、検索した楽曲に関して、例えば該当項目の多い順に並び替えを行ない、紹介楽曲リストを作成する。
【００５４】
次に、ステップＳ５３０では、嗜好データに共通性のある他のユーザのデータがあるか否か、又はユーザの現在の時刻や場所等に依存性のある楽曲データがあるか否かを判定する。このとき、「Ｙｅｓ」と判定されると、ステップＳ５４０に進み、嗜好データに共通性のある他のユーザの再生楽曲関連データ及びマイリストデータから楽曲を抽出する。そして、対象ユーザの再生楽曲関連データ及びマイリストデータに含まれていない曲のみを選択して紹介楽曲リストに追加する。さらに、ユーザの現在の時刻や場所等に依存性のある楽曲データがある場合には、その楽曲データも抽出して、同様に、対象ユーザの再生楽曲関連データ及びマイリストデータに含まれていない曲のみを選択して紹介楽曲リストに追加する。
【００５５】
このようにして紹介楽曲リストが作成されると、図６のステップＳ３５０に進む。ステップＳ３５０では、紹介楽曲リストの上位から、楽曲の一部のデータを車両１００側に向けて送信する。この楽曲の一部のデータは、例えば、イントロ部分またはさびの部分である。
【００５６】
車両１００側では、ステップＳ３６０にて、管理センタ１４０から送信される楽曲の一部のデータを受信し、ステップＳ３７０にて、その受信した楽曲の一部のデータを用いて、楽曲の一部の再生を行なう。そして、ステップＳ３８では、この楽曲の一部を試聴したユーザが、楽曲全体のデータの購入を希望するか否かを、操作部１１２からの購入決定信号の有無に基づいて判定する。楽曲の一部の再生が終了しても、購入決定信号の入力がない場合には、管理センタ１４０に対して、次の楽曲のデータを送信するように要求する。管理センタ１４０が、この要求を受信すると、再びステップＳ３５０において、紹介楽曲リストから、次に送信する楽曲データを選択して送信する。なお、紹介楽曲リストに楽曲データがなくなった場合には、紹介する楽曲が終了した旨を示すデータを車両１００側に送信する。
【００５７】
ステップＳ３８０の判定処理において、ユーザが楽曲全体のデータの購入を希望していると判定した場合には、ステップＳ３９０にて、試聴した楽曲の購入要求信号を管理センタ１４０に送信する。この要求に応じて、管理センタ１４０は、ステップＳ４００において、楽曲情報ＤＢ１４４から、購入希望の楽曲の全データを抽出して送信する。車両１００側では、ステップＳ４１０にて、送信された楽曲の全データを受信し、ＨＤＤ１１５に保存することにより、楽曲の購入が完了する。
【００５８】
なお、購入代金の支払い方法は、クレジットカードやプリペイドカードを用いる等、公知のいかなる方法を用いて行なっても良い。また、楽曲の購入は、１曲ごとに行なっても良いし、複数の楽曲をまとめて購入するようにしても良い。例えば、アルバムを単位として楽曲データを購入できるとユーザの利便性が向上する。
【００５９】
また、上述した実施形態において、管理センタ１４０から車両１００側に送信される楽曲データとしては、楽曲そのもののデータとしても良いが、例えば、楽曲そのもののデータは、予め定めた解除キーコードが適用されることにより読出しが可能な状態で、ＣＤ等の記録メディアに記録してユーザに配布しておき、各楽曲の解除キーコードを楽曲データとして送信しても良い。楽曲そのもののデータをダウンロードする場合、通信容量によっては多大な時間がかかる場合があるが、解除キーコードのみを送信する場合、その送信時間を非常に短縮することができ、ユーザの利便性を向上することができる。
【図面の簡単な説明】
【００６０】
【図１】実施形態による楽曲紹介システムの概略構成を示すブロック図である。
【図２】実施形態における、車両１００のオーディオシステム１１０の概略構成を示すブロック図である。
【図３】実施形態における、楽曲情報管理センタ１４０の概略構成を示すブロック図である。
【図４】操作部１１２を音声操作部として構成した場合の、制御部１１６の詳細な構成の一例を示すブロック図である。
【図５】車両１００のオーディオシステム１１０における嗜好データ保存処理を示すフローチャートである。
【図６】管理センタ１４０が車両１００側から嗜好データを取得し、ユーザの嗜好に合致する楽曲情報データを送信する処理を示すフローチャートである。
【図７】管理センタ１４０において、楽曲情報ＤＢ１４４から、ユーザの嗜好データに合致する楽曲を検索する楽曲検索処理を示すフローチャートである。
【符号の説明】
【００６１】
１００…車両
１１０…オーディオシステム
１２０…通信モジュール
１４０…音楽情報管理センタ
１１１…データ読出部
１１２…操作部
１１３…ディスプレィ
１１４…スピーカ
１１５…ハードディスクドライブ（ＨＤＤ）
１１６…制御部
【図１】
2005300772.tif 000003
【図２】
2005300772.tif 000004
【図３】
2005300772.tif 000005
【図４】
2005300772.tif 000006
【図５】
2005300772.tif 000007
【図６】
2005300772.tif 000008
【図７】
2005300772.tif 000009